(57)【要約】【課題】移動時にも重量によりずり下がることがなく、必要な時に即座に座り姿勢をとることのできる身体装着式簡易立ち椅子を提供する。【解決手段】座パイプと１本脚支持パイプとをＴ字状に結合したＴ字状立ち椅子と、座パイプの端に一端が固定され他端側に肩に掛けるリング状部が形成された左右一対の肩掛けベルトと、肩掛けベルトにおける座パイプ側端とリング状部の中間部に取り付けられ左右の肩掛けベルトを一定間隔に保持した状態で携行者の腰周りに固定される腰ベルトと、座パイプの両端部に取り付けられ携行者の太腿周りに固定される左右一対の太腿ベルトとを備えて構成する。【選択図】図１
0003141172.tif 000002
【実用新案登録請求の範囲】
【請求項１】
身体に装着して携行し、必要な時に即座に座り姿勢をとることのできる身体装着式簡易立ち椅子であって、
座パイプと１本脚支持パイプとをＴ字状に結合したＴ字状立ち椅子と、
前記座パイプの端に一端が固定され他端側に肩に掛けるリング状部が形成された左右一対の肩掛けベルトと、
該肩掛けベルトにおける前記座パイプ側端と前記リング状部の中間部に取り付けられ、左右の肩掛けベルトを一定間隔に保持した状態で携行者の腰周りに固定される腰ベルトと、
前記座パイプの端に取り付けられ、携行者の太腿周りに固定される左右一対の太腿ベルトと、を備えることを特徴とする身体装着式簡易立ち椅子。
【請求項２】
請求項１に記載の身体装着式簡易立ち椅子において、前記１本脚支持パイプはスライド可能な二重パイプで構成され、全長を所定長さに調整して固定できるように構成してあることを特徴とする身体装着式簡易立ち椅子。
【請求項３】
請求項１又は２に記載の身体装着式簡易立ち椅子において、前記１本脚支持パイプの下端部に「ト」字状に後下方に伸びる傾斜支持脚を取り付け、前記１本脚支持パイプの下端と該傾斜支持脚の下端の２点で前記Ｔ字状立ち椅子を支えるように構成してあることを特徴とする身体装着式簡易立ち椅子。
【請求項４】
請求項３に記載の身体装着式簡易立ち椅子において、前記傾斜支持脚の先端部に前記Ｔ字状立ち椅子の座パイプと平行で両側斜め下方に伸びる小支持脚を更に取り付け、前記１本脚支持パイプの下端と該小支持脚の両下端の３点で前記Ｔ字状立ち椅子を支えるように構成してあることを特徴とする身体装着式簡易立ち椅子。
【請求項５】
請求項４に記載の身体装着式簡易立ち椅子において、前記太腿ベルトを無くした構成の身体装着式簡易立ち椅子。
【考案の詳細な説明】
【技術分野】
【０００１】
本考案は携行者が身体に装着して携行でき、必要な時に即座に座り姿勢をとることのできる身体装着式簡易立ち椅子に関する。
【背景技術】
【０００２】
作業の中には移動と立ち止まっての立ち作業、屈み作業を頻繁に繰り返す作業がある。例えば、田畑での草取り作業、苗の植えつけ作業、工事現場の見張り作業等である。また、ゴルフ観戦、スキー観戦等では移動と立ち見観戦が繰り返される。鮎釣り、ルアーフィッシングでは浅瀬に立った姿勢を長時間継続することがある。こうした作業、動作の途中で一時的にも椅子に腰を降ろすことができれば膝関節や足、腰の疲労が軽減され、作業、動作を長く継続することができて都合がよい。
【０００３】
対策として椅子を携行することが考えられる。しかし、椅子を手で持って携行したり、手で移動させたりするのは面倒であり作業性も悪い。改善策として軽い椅子を身体に取り付けて携行し、必要な時に即座に座り姿勢をとれるようにする身体取り付け式の簡易立ち椅子が開示されている。
【０００４】
例えば、特許文献１には、腰及び足にベルト付き伸縮ひもで装着できるようにした一本足の椅子が提案されている。また、特許文献２には、一本足の支持脚を取付けた座板に腰周り部と前部とを有する装着ベルトを取り付け、身体に装着して携行できるようにした身体装着式椅子が開示されている。しかし、何れの椅子も移動時には椅子が腰からぶら下げることになるため、その重量により椅子がずり下がって移動に支障を生ずる問題があった。
【特許文献１】特開２０００−４１７８６公報
【特許文献２】実開平０１−８００６号公報
【考案の開示】
【考案が解決しようとする課題】
【０００５】
本考案は、こうした背景及び従来技術の問題点を解決するためになされたもので、その課題は移動時にも重量によりずり下がることがなく、必要な時に即座に座り姿勢をとることのできる身体装着式簡易立ち椅子を提供することにある。
【課題を解決するための手段】
【０００６】
前記課題を解決するための請求項１に記載の考案は、身体に装着して携行し、必要な時に即座に座り姿勢をとることのできる身体装着式簡易立ち椅子であって、座パイプと１本脚支持パイプとをＴ字状に結合したＴ字状立ち椅子と、座パイプの端に一端が固定され他端側に肩に掛けるリング状部が形成された左右一対の肩掛けベルトと、その肩掛けベルトにおける座パイプ側端とリング状部の中間部に取り付けられ、左右の肩掛けベルトを一定間隔に保持した状態で携行者の腰周りに固定される腰ベルトと、座パイプの端に取り付けられ携行者の太腿周りに固定される左右一対の太腿ベルトと、を備えることを特徴とする身体装着式簡易立ち椅子である。
【０００７】
このような構成の身体装着式簡易立ち椅子１では、１本脚支持パイプを座り姿勢に適した長さに調整しておけば、携帯しての移動、立ち姿勢から座り姿勢への姿勢変換とその逆動作を即座、且つ簡単に行なうことができる。また、移動する際に椅子を手に持って移動させる必要がない。従って、田畑での草取り作業、苗の植えつけ作業、工事現場での見張り作業、ゴルフの立ち見観戦等を行なう場合に使用すれば、膝関節や足、腰の疲労を軽減させられる効果を奏する。
【０００８】
また、請求項２に記載の発明は、請求項１に記載の身体装着式簡易立ち椅子において、１本脚支持パイプはスライド可能な二重パイプで構成され、全長を所定長さに調整して固定できるように構成してあることを特徴とする身体装着式簡易立ち椅子である。
【０００９】
このような構成にしておけば、座り姿勢をとった場合の座り高さを任意に調整することができる。
【００１０】
また、請求項３に記載の発明は、請求項１又は２に記載の身体装着式簡易立ち椅子において、１本脚支持パイプの下端部に「ト」字状に後下方に伸びる傾斜支持脚を取り付け、１本脚支持パイプの下端と傾斜支持脚の下端の２点でＴ字状立ち椅子を支えるように構成してあることを特徴とする身体装着式簡易立ち椅子である。
【００１１】
このような傾斜支持脚を取り付ければ、Ｔ字状立ち椅子は１本脚支持パイプの下端と傾斜支持脚の下端の２点で支えられることになる。従って、座り姿勢をとった場合の前後の座り安定性が増し、特に後方への転倒防止に効果を奏する。
【００１２】
また、請求項４に記載の発明は、請求項３に記載の身体装着式簡易立ち椅子において、傾斜支持脚の先端部にＴ字状立ち椅子の座パイプと平行で両側斜め下方に伸びる小支持脚を更に取り付け、１本脚支持パイプの下端と小支持脚の両下端の３点でＴ字状立ち椅子を支えるように構成してあることを特徴とする身体装着式簡易立ち椅子である。
【００１３】
このような構成によれば、Ｔ字状立ち椅子は１本脚支持パイプの下端と小支持脚の両下端の３点で支えられることになる。従って、座り姿勢をとった場合の座り安定性が増し、前後、左右方向への転倒防止に効果を奏する。
【００１４】
また、請求項５に記載の発明は、請求項４に記載の身体装着式簡易立ち椅子において、太腿ベルトを無くした構成の身体装着式簡易立ち椅子である。
【００１５】
このような構成にした場合も、傾斜支持脚と小支持脚を備えたＴ字状立ち椅子が採用してあるため座り姿勢をとった場合の安定性は確保される。
【考案を実施するための最良の形態】
【００１６】
以下、本考案に係る身体装着式簡易立ち椅子の実施形態について図面を参照して説明する。図１は、その身体装着式簡易立ち椅子１を斜視図で示したものである。身体装着式簡易立ち椅子１は、Ｔ字状立ち椅子２、一対の肩掛けベルト３、腰ベルト４、一対の太腿ベルト５を備えて構成されている。
【００１７】
Ｔ字状立ち椅子２は、座パイプ７と１本脚支持パイプ８とをＴ字状に結合して構成してある。座パイプ７は携行者が座り姿勢をとる時に臀部を乗せる水平部分であり、臀部と接する部分は平らに形成してある。座パイプ７はアルミ合金、合成樹脂等の軽量材料で形成してある。
【００１８】
座パイプ７の中央下面側には、座パイプ７を支持する１本脚支持パイプ８が取り付けてある。１本脚支持パイプ８は断面角形の二重パイプで構成してあり、下方側の支持パイプ８ａは上方側角パイプ８ｂの内側にスライド可能に挿入してある。１本脚支持パイプ８の全長は、下方側支持パイプ８ａの挿入長さを調整することにより可変できる。上方側角パイプ８ｂの側面に設けた複数の貫通孔８ｃの任意の孔と、下方側支持パイプ８ａの上方部側面に設けてある図示しない孔との間に挿脱可能なロックピンを挿通することで全長を調整した長さに固定できるようにしてある。下方側支持パイプ８ａの下端には、滑り止め９が取り付けてある。１本脚支持パイプ８は、軽量で強度のあるアルミ合金で形成してある。
【００１９】
肩掛けベルト３は、移動時にＴ字状立ち椅子２を肩から吊り下げ携行するためのものである。左右一対の肩掛けベルト３は、下端側が座パイプ７の端に固定され、他端側には肩に掛けるリング状部が形成されている。肩掛けベルト３の途中にはベルト長さを調整できるバックル３ａが取り付けてある。
【００２０】
肩掛けベルト３の下端とリング状部の間の中間部には、左右の肩掛けベルト３の間隔を一定に保持した状態で携行者の腰周りに固定することのできる腰ベルト４が取り付けてある。腰ベルト４にも、ベルト長さを調整できるバックル４ａが取り付けてある。
【００２１】
更に、座パイプ７の左右両端には、携行者の太腿周りに固定する一対の太腿ベルト５が取り付けてある。太腿ベルト５にもベルト長さを調整できるバックル５ａが取り付けてある。
【００２２】
図２は、身体装着式簡易立ち椅子１を身体に装着して携行するときの状態を示した図である。左右の肩掛けベルト３を肩に掛け、肩掛けベルト３でＴ字状立ち椅子２を背中側下部に吊り下げた状態で携行する。１本脚支持パイプ８は、下方側支持パイプ８ａを上方側角パイプ８ｂに深く挿入して短くし、その状態でロックピンにより固定しておくとよい。但し、移動と座り姿勢とを頻繁に繰り返す場合は、１本脚支持パイプ８を長い状態に伸ばしたまま携行してもよい。腰ベルト４は腰部に固定し、太腿ベルト５は左右の太腿に固定しておく。
【００２３】
図３は、座り姿勢をとった状態を示した図である。１本脚支持パイプ８の長さは好みの長さに調整して固定しておく。下端の滑り止め９を地面に付け、Ｔ字状立ち椅子２の上部を少し前方に傾けさせた状態で座パイプ７に臀部を乗せ座り姿勢をとる。身体は１本脚支持パイプ８、携行者の左右両足の３本の足で支持されるが、体重は主としてＴ字状立ち椅子２により支えられる。大腿ベルト５、及び腰ベルト４と座パイプ７間の腰ベルト４は臀部が座パイプ７から外れるのを防ぐと同時に、Ｔ字状立ち椅子２を転倒しにくくする効果を奏する。
【００２４】
本実施形態の身体装着式簡易立ち椅子１の特徴は、図２における１本脚支持パイプ８を座り姿勢に適した長さに調整しておけば、図２の移動、立ち姿勢から図３の座り姿勢への姿勢変換とその逆動作が即座且つ簡単にできること、及び移動時に椅子を手に持って移動させる必要のないことにある。従って、田畑での草取り作業、苗の植えつけ作業、工事現場での見張り作業、ゴルフの立ち見観戦等を行なう場合に使用すれば膝関節や足、腰の疲労を軽減させられる効果を奏する。
【００２５】
（変形実施形態）
前述した身体装着式簡易立ち椅子１は，次のように変形して実施してもよい。
（その１）図４はＴ字状立ち椅子２の変形実施形態である。このＴ字状立ち椅子２ａは、１本脚支持パイプ８における下方側支持パイプ８ａの下端部に「ト」字状に後下方に伸びる傾斜支持脚８ｅを取り付けたものである。Ｔ字状立ち椅子２ａは下方側支持パイプ８ａの下端と傾斜支持脚８ｅの下端の２点で支えられる。このような傾斜支持脚８ｅを取り付ければ図３に示す座り姿勢をとった場合の前後の座り安定性が増し、特に後方への転倒防止に効果を奏する。
【００２６】
（その２）図５はＴ字状立ち椅子２の他の変形実施形態である。このＴ字状立ち椅子２ｂは、図４に示したＴ字状立ち椅子２ａにおける前記傾斜支持脚８ｅの先端に、座パイプ７と平行で両側斜め下方に伸びる小支持脚８ｆを更に取り付けたものである。Ｔ字状立ち椅子２ｂは下方側支持パイプ８ａの下端と小支持脚８ｆの両端下端の３点で支えられる。従って、図３に示す座り姿勢をとった場合の座り安定性が増し、前後、左右方向への転倒防止に効果を奏する。
【００２７】
（その３）図６は、図１に示した身体装着式簡易立ち椅子１における太腿ベルト５を無くした構成の身体装着式簡易立ち椅子１ａである。このような構成にした場合も図５に示した傾斜支持脚８ｅと小支持脚８ｆを備えたＴ字状立ち椅子２ｂを採用することで、座り姿勢をとった場合の安定性は確保される。
【００２８】
（その４）図７は、図６に示した身体装着式簡易立ち椅子１ａにおける腰ベルト４を更に無くした構成の身体装着式簡易立ち椅子１ｂである。このような構成にした場合も図５に示した傾斜支持脚８ｅと小支持脚８ｆを備えたＴ字状立ち椅子２ｂを採用することで、座り姿勢をとった場合の安定性は確保される。
【００２９】
（その５）図８は、図１に示した身体装着式簡易立ち椅子１における肩掛けベルト３の前側端を腰ベルト４の前側に固定し、更に、肩掛けベルト３の背中側に２本の肩掛けベルト３間の間隔を一定に保つための間隔固定ベルト１０を追加した実施形態である。このような間隔固定ベルト１０を取り付ければ、肩掛けベルト３が肩から外れるのを防止することができる。図９は、このような身体装着式簡易立ち椅子１ｃを装着し、移動中に急に立ち止まって立った状態で休憩したり、作業をしたりしている状態を示したものである。このように本発明に係る各種の身体装着式簡易立ち椅子を使用すれば、手軽に立ち姿勢で休息したり作業を行なったりすることができる。
【図面の簡単な説明】
【００３０】
【図１】本発明に係る身体装着式簡易立ち椅子１の斜視図である。
【図２】身体装着式簡易立ち椅子１を身体に装着して携行するときの状態図である。
【図３】座り姿勢をとった状態を示した図である。
【図４】Ｔ字状立ち椅子の変形実施形態である。
【図５】Ｔ字状立ち椅子の他の変形実施形態である。
【図６】太腿ベルトを無くした構成の身体装着式簡易立ち椅子１ａである。
【図７】太腿ベルトと腰ベルトを無くした身体装着式簡易立ち椅子１ｂである。
【図８】図１の身体装着式簡易立ち椅子の肩ベルト取り付けの変形実施形態である。
【図９】立ち姿勢で休憩や作業をしている状態を示した図である。
【符号の説明】
【００３１】
図面中、１、１ａ、１ｂは身体装着式簡易立ち椅子、２、２ａ、２ｂはＴ字状立ち椅子、３は肩掛けベルト、４は腰ベルト、５は太腿ベルト、７は座パイプ、８は１本脚支持パイプ、８ｅは傾斜支持脚、８ｆは小支持脚を示す。
【図１】
0003141172.tif 000003
【図２】
0003141172.tif 000004
【図３】
0003141172.tif 000005
【図４】
0003141172.tif 000006
【図５】
0003141172.tif 000007
【図６】
0003141172.tif 000008
【図７】
0003141172.tif 000009
【図８】
0003141172.tif 000010
【図９】
0003141172.tif 000011